(57)【要約】【課題】別体のウェートを設けることなく、トラバース重量を目的とする重量に調整し、また、トラバースユニットの重心位置を微調整し易い構造とし、部品点数やコストを増加させることなく振動レベルを低減しうるディスク装置を提供する。【解決手段】トラバースベース１における光学ピックアップ４の逃がし孔部に、トラバースベース１と一体成形されたバランスアーム１３を設ける。バランスアーム１３の取り付け位置、大きさを調整することにより、トラバースユニットの重量、および重心の調整を行う。【選択図】      図１
2004310841.tif 000002
【特許請求の範囲】
【請求項１】
少なくとも、ディスクを回転駆動する機構と、上記ディスクから情報を読み出す、またはディスクへ情報を書き込むための光学ピックアップと、該光学ピックアップの上記ディスクに対する位置を可変とする光学ピックアップ駆動機構とを搭載するトラバースベースと、からなるトラバースユニットを備えたディスク装置において、
上記トラバースベースに搭載された光学ピックアップ駆動機構の駆動領域において、該駆動領域の下方部分の所定位置に所望の重量を有するバランス部材を備えた、ことを特徴とするディスク装置。
【請求項２】
請求項１に記載のディスク装置において、
上記バランス部材は、上記トラバースベースと一体形成されている、ことを特徴とするディスク装置。
【請求項３】
請求項１記載のディスク装置において、
上記バランス部材は、該バランス部材の重心と上記トラバースユニットの重心とが略一致するように配置されている、ことを特徴とするディスク装置。
【発明の詳細な説明】
【０００１】
【発明の属する技術分野】
本発明は、ディスク状の記録媒体を用いるディスク装置に関し、特にトラバースユニットの重心位置の調整に関するものである。
【０００２】
【従来の技術】
従来から、光ディスク装置における振動を低減するための種々の方策がとられてきている（例えば、特許文献１参照。）。
【０００３】
【特許文献１】
特開２００２−１００１２９号公報（第３−７頁、第１図等）
【０００４】
以下、自己振動レベルを低減させた従来の光ディスク装置、およびその重心位置の調整方法について、図３および図４を参照しながら説明する。
【０００５】
図３は、従来のトラバースユニットによる光ディスク装置の上面図を示し、図４は、従来のトラバースユニットによる光ディスク装置の側面図を示す。
【０００６】
まず、従来の、光ディスク装置の構成について説明する。
従来の光ディスク装置は、主に、トラバースベース１、光ディスク駆動モータ２、光学ピックアップ４、レール（主軸）５、レール（副軸）６、別体ウェート７，８，９，１０、トラバースモータ１１、ラック１２、およびリードスクリュー１６によって構成された、トラバースユニットを備える。
【０００７】
トラバースベース１は、図示しないダンパーを介して光ディスク装置の筐体に取り付けられる。上記トラバースベース１には、光ディスク３の載置されるターンテーブル一体型スピンドルモータ２が固定されている。光学ピックアップ４は、光ディスク３からの情報の再生および／または光ディスク３への情報の記録を行うものであり、光ディスク３の半径方向へ移動自在なように、トラバースベース１に配設された一対の保持レール５，６によって支持される。そして、回転式のリードスクリュー１６の回転により、このリードスクリュー１６と噛合しているラック１２が光ディスク３の半径方向に移動させられる。その結果、光学ピックアップ４の半径方向の移動が行われる。
【０００８】
上記トラバースベース１の上面にはトラバースベース１とは別体のウェート７〜１０が取り付けられている。これらの各別体ウェート７〜１０により、トラバースベース１の重量を増加させることができ、光ディスク３の回転時に発生する自己振動レベルを低減させることができる。
【０００９】
そして、各別体ウェート７〜１０は、図４に示すトラバースモータ１１、ラック１２を含むすべての部品がトラバースベース１に取り付けられた状態で、トラバースユニットの重心が、例えば、ラインＸとラインＹの交点に一致するように、バランス配分されている。
【００１０】
【発明が解決しようとする課題】
従来の光ディスク装置は以上のように構成されており、トラバースユニットの重量を調整する際に用いる別体ウェートは形状的制約があるため、トラバースユニットの重心に対するバランス配分を満足させ、かつ、トラバースユニットの重量を自己振動レベルを低減させるために必要な重量となるように調整することが難しく、また、各別体ウェート自体のコストに加え、トラバースユニット３０の重心位置の調節を行う場合に、全ての別体ウェートの形状を変更しなければならないため、金型コストが高くなってしまうという問題点もあった。
【００１１】
本発明は、以上のような問題点を解消するためになされたものであり、別体ウェートを設けることなく、トラバースの重量を目的とする重量に調整することができ、また、トラバースユニットの重心位置を微調整し易い構造とし、部品点数やコストを増加させることなく振動レベルを低減しうるディスク装置を提供することを目的とする。
【００１２】
【課題を解決するための手段】
本発明の請求項１に記載のディスク装置は、少なくとも、ディスクを回転駆動する機構と、上記ディスクから情報を読み出す、またはディスクへ情報を書き込むための光学ピックアップと、該光学ピックアップの上記ディスクに対する位置を可変とする光学ピックアップ駆動機構とを搭載するトラバースベースと、からなるトラバースユニットを備えたディスク装置において、上記トラバースベースに搭載された光学ピックアップ駆動機構の駆動領域において、該駆動領域の下方部分の所定位置に所望の重量を有するバランス部材を備えたものである。
【００１３】
また、本発明の請求項２にかかるディスク装置は、請求項１に記載のディスク装置において、上記バランス部材は、上記トラバースベースと一体形成されているものである。
【００１４】
また、本発明の請求項３にかかるディスク装置は、請求項１記載のディスク装置において、上記バランス部材は、該バランス部材の重心と上記トラバースユニットの重心とが略一致するように配置されているものである。
【００１５】
【発明の実施の形態】
（実施の形態１）
以下、本発明の実施の形態１による光ディスク装置について、図１、および図２を参照しながら説明する。
【００１６】
図１は、本実施の形態１による光ディスク装置を構成するトラバースユニットを中心とする要部上面図である。図２は、光ディスク装置の要部側面図であり、光学ピックアップ４と基板１４とを接続する信号ケーブル１５の取り回しの様子も含めて示されている。なお、各図において、図３、図４に示した従来例と同様の、または相当する構成要素については、同じ符号を付して、その説明はここでは省略する。
【００１７】
図１において、バランスアーム１３は、光学ピックアップ４の移動時に該光学ピックアップ４のユニットが他の部分に干渉しないように光学ピックアップ４下方に設けられた逃がし孔部に、トラバースベース１と一体成形された金属製のものである。このバランスアーム１３は、その逃がし孔部の面積内において、任意に面積及び形状を設定することが可能であり、その結果、トラバース重量を目的とする重量まで増加させることが可能となる。
【００１８】
また、バランスアーム１３は、逃がし孔の範囲でトラバースベース１における光学ピックアップ４の送り方向と、それに直行する方向に対して任意に配置することが可能なため、その配設位置を微調整することにより、トラバースユニットの重心位置を微調整することが可能となる。したがって、バランスアーム１３をトラバースベース１と一体成形して設けることによって、従来例の別体ウェートが不要となり、コスト低減を図ることができる。また、簡易な方法により、自己振動レベルを低減させることが可能となる。
【００１９】
また、本実施の形態では、前記光学ピックアップ４を制御する制御手段を有する基板１４と、前記光学ピックアップ４と前記基板１４とを接続する信号ケーブル１５は、図２に示すように、バランスアーム１３を回り込むように配線されることにより、光学ピックアップ４と信号ケーブル１５との干渉を防止することが可能となる。
【００２０】
以上のように、本発明の実施の形態１によるディスク装置によれば、バランスアーム１３をトラバースベース１と一体形成するトラバースユニット構造としたので、別体ウェートを備える必要がないため、コストダウンを図ることができ、また、図２で示されるように、トラバースベース１の表面高さを光ディスク３の高さにできる限り近付けることができ、ディスク装置の省スペース化を図ることが可能となる。
【００２１】
また、上記バランスアーム１３は、トラバースベース１における光学ピックアップ４の逃がし孔部に設けられたので、前記逃がし孔の面積範囲内で、バランスアーム１３の面積、及び形状を任意に設定することが可能であり、また、前記逃がし孔の範囲でバランスアーム１３を任意に配置することが可能となり、バランスアーム１３の大きさや配設位置を微調整することで、トラバースの重量を目的とする重量に微調整することができ、また、トラバースユニットの重心位置の微調整が可能となる。
【００２２】
なお、本実施の形態１では、金属製のバランスアーム１３を用いる場合について説明したが、バランスアーム１３の材質は金属製に限定されず、例えば、非金属のものに金属テープなどの安価な材料を用いてトラバースベース１に貼付されたものなどであってもよい。
【００２３】
【発明の効果】
以上のように、本発明の請求項１にかかるディスク装置によれば、少なくとも、ディスクを回転駆動する機構と、上記ディスクから情報を読み出す、またはディスクへ情報を書き込むための光学ピックアップと、該光学ピックアップの上記ディスクに対する位置を可変とする光学ピックアップ駆動機構とを搭載するトラバースベースと、からなるトラバースユニットを備えたディスク装置において、上記トラバースベースに搭載された光学ピックアップ駆動機構の駆動領域において、該駆動領域の下方部分の所定位置に所望の重量を有するバランス部材を備えたものとしたので、トラバースの重量を目的とする重量まで増加させることが可能となり、また、トラバースユニットの重心位置の微調整が可能となり、その結果、自己振動レベルの低減を実現させる効果がある。
【００２４】
また、本発明の請求項２にかかるディスク装置によれば、請求項１に記載のディスク装置において、上記バランス部材は、上記トラバースベースと一体形成されているものとしたので、部品点数及びコストの削減を実現することが可能となる効果がある。
【００２５】
また、本発明の請求項３にかかるディスク装置によれば、請求項１記載のディスク装置において、上記バランス部材は、該バランス部材の重心と上記トラバースユニットの重心とが略一致するように配置されているものとしたので、重心を適切な位置とすることができ、自己振動レベルを低減させる効果がある。
【図面の簡単な説明】
【図１】本発明の実施の形態１による光ディスク装置を構成するトラバースユニットを中心とする要部上面図である。
【図２】上記光ディスク装置の要部側面図である。
【図３】従来のトラバースユニットを備えた光ディスク装置の上面図である。
【図４】従来のトラバースユニットを備えた光ディスク装置の側面図である。
【符号の説明】
１  トラバースベース
２  光ディスク駆動モータ
３  光ディスク
４  光学ピックアップ
５  レール（主軸）
６  レール（副軸）
７，８，９，１０  別体ウェート
１１  トラバースモータ
１２  ラック
１３  バランスアーム
１４  基板
１５  信号ケーブル
１６  リードスクリュー
【図１】
2004310841.tif 000003
【図２】
2004310841.tif 000004
【図３】
2004310841.tif 000005
【図４】
2004310841.tif 000006